(57)【要約】      （修正有）【課題】主に人体の手足に取り付けて、移動時に於ける傾斜を利用し、第１コイルに誘導電流を発生させ、発光ダイオードを点灯する表示器を提供する。【解決手段】第１コイル５に誘導電流を発生させる第１マグネット３を有するパイプ６の外周に有る第１コイル５をケース１０に取り付け、第１マグネット３に引っ張りバネ４、ワイヤー１３を接続して、ワイヤー１３の端部と移動板１５の端部を接続する。ケース１０に磁性体７を取り付けて、第１マグネット３を吸引して近づけ、ケース１０と発光ダイオード２を有する表示器１を人の足首に取り付ける。人が歩き出してケース１０が傾き、移動板１５内の移動体８が移動して移動板１５に衝突し、その衝撃による重力が、第１マグネット３と磁性体７の吸引力を超えた時に、第１マグネット３が第１コイル５内を通過し、誘導電流を発生させて発光ダイオード２を点灯させる。【選択図】図２
2018182827.tif 000002
【特許請求の範囲】
【請求項１】
第１コイルに誘導電流を発生させる第１マグネットをパイプに入れ、前記第１コイルをパイプの外周に取り付け、外部より振動を加えて前記第１マグネットを移動させ、前記第１コイルに誘導電流を発生させる振動発電装置と誘導電流で発光する発光ダイオードを有する表示器において、
前記第１コイルをケースに取り付け、前記第１マグネットに弾性体の端部を接続して、前記弾性体の他方の端部にワイヤーを接続し、更に、前記ワイヤーの他方の端部を移動板の左端部へ接続し、
一方で前記第１マグネットに吸引力を与える磁性体を、前記ケースに取り付けて、前記第１マグネットを前記磁性体に近づけておき、
前記移動板内にある移動体が移動して前記移動板の左端部に衝突し、衝突した力により前記移動板に接続された前記ワイヤーを引っ張って、前記弾性体の収縮力が前記第１マグネットと前記磁性体の吸引力を越えた時に、前記第１マグネットを移動させ、前記第１コイルに誘導電流を発生させる振動発電装置を有し、その誘導電流前記でケースに取り付けた前記発光ダイオードを点灯させ、周囲にその存在を知らせる事を特徴とした表示器。
【請求項２】
第３マグネットが第２コイル内を移動して、前記第２コイルに誘導電流を発生させる振動発電装置と誘導電流で発光する発光ダイオードを有する表示器において、
前記第２コイルをケースに取り付けて前記第３マグネットの内部に保持棒を通し、更に、前記第３マグネットと前記第２コイルの両側に設けた移動板の両端部に前記保持棒を通して、前記保持棒を前記ケースに取り付け、
前記第３マグネットに吸引力を与える磁性体を前記ケースに取り付けて、前記移動板の右端部を挟みこみながら、前記第３マグネットを前記磁性体に近づけておき、
前記移動板内にある移動体が移動して前記移動板の左端部に衝突し、前記移動板の右端部に伝わる衝突した力が、前記第３マグネットと前記磁性体の吸引力を超えたときに、前記第３マグネットを移動させ、
前記第３マグネットが前記第２コイル内を移動して前記第２コイルに誘導電流を発生させる振動発電装置を有し、その誘導電流で前記ケースに取り付けた前記発光ダイオードを点灯させ、周囲にその存在を知らせる事を特徴とした表示器。
【請求項３】
第２コイルに誘導電流を発生させる第５マグネットを固定し、前記第２コイルが前記第５マグネットの外側を移動して誘導電流を発生させる振動発電装置と誘導電流で発光する発光ダイオードを有する表示器において、
前記第２コイルを移動板に取り付け、前記第５マグネットを有する連結棒をケースに取り付け、
前記移動板に取り付けた第２マグネットと前記ケースに取り付けた磁性体の吸引力により、前記移動板を前記ケースに近づけておき、
前記移動板内にある移動体が移動して前記移動板に衝突し、衝突した力が前記磁性体と前記第２マグネットの吸引力を超えたときに、
前記第２コイルが前記第５マグネットの外側を移動して前記第２コイルに誘導電流を発生させる振動発電装置を有し、その誘導電流で前記ケースに取り付けた前記発光ダイオードを点灯させ、周囲にその存在を知らせる事を特徴とした表示器。
【請求項４】
第１マグネットが第２コイル内を移動して、前記第２コイルに誘導電流を発生させる振動発電装置と誘導電流で発光する発光ダイオードを有する表示器において、
前記第１マグネット有する接続板を移動板に取り付けて前記第２コイルをケースに取り付け、
前記移動板に取り付けた前記第１マグネットと前記ケースに取り付けた磁性体の吸引力により、前記第１マグネットを前記磁性体に近づけておき、
前記移動板内にある移動体が移動して前記移動板に衝突し、衝突した力が前記第１マグネットと前記磁性体の吸引力を超えたときに、
前記第１マグネットが前記第２コイル内を移動して前記第２コイルに誘導電流を発生させる振動発電装置を有し、その誘導電流で前記ケースに取り付けた前記発光ダイオードを点灯させ、周囲にその存在を知らせる事を特徴とした表示器。
【請求項５】
第１コイルに誘導電流を発生させる第１マグネットをパイプに入れ、前記第１コイルを前記パイプの外周に取り付け、外部より振動を加えて前記第１マグネットを移動させ、前記第１コイルに誘導電流を発生させる振動発電装置と誘導電流で発光する発光ダイオードを有する表示器において、
前記第１コイルをケースに取り付け、前記第１マグネットに吸引力を与える磁性体を前記パイプに取り付けて、前記第１マグネットを近づけておき、
前記第１マグネットの右側に移動体を設け、前記移動体が移動して前記第１マグネットに衝突し、衝突した力が前記第１マグネットと前記磁性体の吸引力を超えたときに、
前記第１マグネットが前記第１コイル内を移動して前記第１コイルに誘導電流を発生させる振動発電装置を有し、その誘導電流で前記ケースに取り付けた前記発光ダイオードを点灯させ、周囲にその存在を知らせる事を特徴とした表示器。
【請求項６】
第２コイルに誘導電流を発生させる第５マグネットを固定し、前記第２コイルが前記第５マグネットの外側を移動して誘導電流を発生させる振動発電装置と誘導電流で発光する発光ダイオードを有する表示器において、
前記第２コイルを移動板に取り付け、前記第５マグネットを有する連結棒をケースに取り付け、
前記移動板の下部に車輪を取り付け、前記ケースを傾斜させて前記移動板を移動させ、
前記第２コイルが前記第５マグネットの外側を移動して前記第２コイルに誘導電流を発生させる振動発電装置を有し、その誘導電流で前記ケースに取り付けた前記発光ダイオードを点灯させ、周囲にその存在を知らせる事を特徴とした表示器。
【請求項７】
円筒形の第５マグネットが、円形の第３コイル内を移動して、前記第３コイルに誘導電流を発生させる振動発電装置と誘導電流で発光する発光ダイオードを有する表示器において、
前記第５マグネット有する接続板を移動板に取り付けて前記第３コイルをケースに取り付け、
前記移動板の下部に車輪を取り付け、前記ケースを傾斜させて前記移動板を移動させ、
前記第５マグネットが前記第３コイル内を移動して前記第３コイルに誘導電流を発生させる振動発電装置を有し、その誘導電流で前記ケースに取り付けた前記発光ダイオードを点灯させ、周囲にその存在を知らせる事を特徴とした表示器。
【請求項８】
請求項１〜４記載のいずれか１項記載の表示器において、前記移動体下部に車輪を取り付けた事を特徴とした表示器。
【請求項９】
請求項１〜５記載のいずれか１項記載の表示器において、前記ケースに保持体を取り付け、前記保持体上に前記移動体を停止させて、前記ケースを傾斜させ、
前記移動体の重力が、前記保持体上に前記移動体を維持する摩擦力を超えた時に、前記移動体を移動させる事を特徴とした表示器。
【請求項１０】
請求項１〜５記載のいずれか１項記載の表示器において、前記ケースに突起を取り付け、前記突起により前記移動体を停止させて前記ケースを傾斜させ、
前記移動体の重力が、前記移動体の停止を維持する前記突起の摩擦力を超えた時に、前記移動体を移動させる事を特徴とした表示器。
【請求項１１】
請求項１〜５記載のいずれか１項記載の表示器において、前記ケースに傾斜部を設けて前記移動体を停止させて、前記ケースを傾斜させ、
前記移動体の重力が、前記移動体を前記傾斜部上に維持する摩擦力を超えた時に、前記移動体を移動させる事を特徴とした表示器。
【請求項１２】
請求項１〜４記載のいずれか１項記載の表示器において、前記移動体を磁性体にし、
一方で、前記移動体に吸引力を与える第２マグネットを前記ケースに取り付けて、前記移動体を吸引させて、前記ケースを傾斜させ、
前記移動体と前記移動板の重力が、前記移動体と前記第２マグネットの吸引力を超えた時に、前記移動体を移動させる事を特徴とした表示器。
【請求項１３】
請求項１〜５記載のいずれか１項記載の表示器において、前記移動体を球体にした事を特徴とした表示器。
【請求項１４】
請求項５記載の表示器において、前記第１マグネットの左側に弾性体を設け、
前記弾性体によって、前記第１マグネットを反発させて移動させる事を特徴とした表示器。
【請求項１５】
請求項５記載の表示器において、前記第１マグネットに反発力を与える極性の第４マグネットを前記ケースに取り付け、
前記第４マグネットによって、前記第１マグネットを反発させて移動させる事を特徴とした表示器。
【請求項１６】
請求項２記載の表示器において、前記移動板の左端部と前記ケースの間に弾性体を設け、
前記弾性体によって、前記移動板を反発させて移動させる事を特徴とした表示器。
【請求項１７】
請求項２記載の表示器において、前記第３マグネットに反発力を与える極性の第４マグネットを前記ケースに取り付け、
前記第４マグネットによって、前記第３マグネットを反発させて移動させる事を特徴とした表示器。
【請求項１８】
請求項６〜７記載のいずれか１項記載の表示器において、前記ケースに保持体を取り付け、前記保持体上に前記車輪を停止させて、前記ケースを傾斜させ、
前記移動板の重力が、前記保持体上に前記車輪を維持する摩擦力を超えた時に、前記移動体を移動させる事を特徴とした表示器。
【請求項１９】
請求項６〜７記載のいずれか１項記載の表示器において、前記ケースに突起を取り付け、前記突起により前記車輪を停止させて前記ケースを傾斜させ、
前記移動板の重力が、前記車輪の停止を維持する前記突起の摩擦力を超えた時に、前記移動板を移動させる事を特徴とした表示器。
【請求項２０】
請求項６〜７記載のいずれか１項記載の表示器において、前記ケースに傾斜部を設けて前記車輪を停止させて、前記ケースを傾斜させ、
前記移動板の重力が、前記車輪を前記傾斜部上に維持する摩擦力を超えた時に、前記移動板を移動させる事を特徴とした表示器。
【発明の詳細な説明】
【技術分野】
【０００１】
本発明は、主に球体の移動体の移動により発電部のマグネットがコイル内を移動し、コイルに誘導電流を発生させる振動発電装置の電気エネルギーで、発光ダイオードが点灯してその場所を知らせる表示器に関する物である。
【背景技術】
【０００２】
夜間の散歩に於いて、人の存在を外部に知らせる場合、電灯の保持や電池駆動の表示器を身体に取り付けたり、身体に反射板を取り付けるなどの方法が有り、或は、発電部のマグネットがコイル内を移動して発電する振動発電装置の電力を利用して電球を光らせるものがあり、その中で、振動発電装置を応用した物が数多く提案されている。
【０００３】
１つは、発電部のパイプ内にマグネットを挿入し、パイプの外側にコイルを設け、マグネットの自重を利用して、コイル下部に前記マグネットを配置しておき、一方で、発電部のマグネットに反発力を与える極性の移動部のマグネットを近づけて、発電部のマグネットを反発させてコイル内を通過させ、電気エネルギーを得ている。
更に、移動部のマグネットが移動して遠ざかり、両マグネットの反発する磁力が弱まることで、発電部のマグネットの自重により、コイル内を通過して元の位置に戻している。（文献１）
【０００４】
その他に、発電部のマグネット下部にバネを接続してパイプの外側にコイルを設け、それら全体に振動を与えて、マグネットがコイル内を移動して発電しているものもある。（文献３）
或は、バネの代わりに、マグネットに反発力を与える極性のマグネットを、パイプの下部に配置し、同様に全体に振動を与えて発電エネルギーを取得している物もある。（文献２）
【０００５】
その他に、発電部のパイプ内に、コイルに誘導電流を発生させるマグネットを挿入し、そのパイプの外側にコイルを設け、パイプ内のマグネットに反発力を与える別のマグネットを有する蓋を、パイプの端部に取り付けて、誘導電流を発生させるマグネットを常にコイルの端部へ移動させておき、パイプ内のマグネットに反発力を与える極性の移動部のマグネットを近づけて、パイプ内のマグネットを反発させてコイル内を通過させ、電気エネルギーを得ている。
【０００６】
更に、移動部のマグネットが移動して遠ざかり、両マグネットの反発する磁力が弱まることで、蓋に取り付けたマグネットの反発力により、パイプ内のマグネットを反発させて移動させ、コイル内を通過し、発電して元の位置に戻している物がある。（文献４）
その他、振動発電装置をそのまま上下に振って電球を発光させる物や、振動発電装置を服に取り付けて電球を発光させる物がある。
【先行技術文献】
【特許文献】
【０００７】
【特許文献１】特開昭６０−１３４６４号公報
【特許文献２】特開２０１０−２００４７９号公報
【特許文献３】特開２００２−３７４６６１号公報
【特許文献４】特開２０１４−１８９０４７号公報
【発明の概要】
【発明が解決しようとする課題】
【０００８】
特許文献１で提案されているように、移動部のマグネットを利用して発電部のマグネットを移動させて発電し、復帰に於いては、発電部のマグネットの自重を利用しており、発電部を傾斜させた場合は、元の位置へ戻らなくなる可能性があり、移動部のマグネットを人体に取り付ける構造が複雑になる可能性がある。
【０００９】
文献４においても、発電部のマグネットを移動させる手段として、移動部のマグネットを利用しており、また、パイプの端部に取り付けたマグネットの反発力により、常にパイプ内のマグネットに反発力を与えているので、移動部のマグネットが近づいてもパイプ内のマグネットの移動速度は減速され、発電部のマグネットを移動させる強い力が必要とされる。
【００１０】
文献２、３に於いては、パイプ内のマグネットに振動を与え、マグネットの大きさと移動速度によりコイルに発生させる発電量が決まる為、早い振動が求められる。
その為、繰り返し行なわれる振動をやめ、装置を徐々に傾斜させてマグネットを移動させて発電を行なうように利用した場合、パイプ内のマグネットは傾きに応じて動き始める為、コイル内を移動する時の速度が低下して発電効率も低下し、その電気エネルギーで発光ダイオードを点灯した場合には、発電はするものの照度が落ちてしまう。
【課題を解決するための手段】
【００１１】
本発明の振動発電装置の電気エネルギーで発光ダイオードが点灯する表示器は、主に、人体に取り付けた表示器の繰り返し行なわれる傾斜を利用して、発光ダイオードを点灯するようにしたもので、第１コイルに誘導電流を発生させる第１マグネットに弾性体の引っ張りバネを接続し、更に、引っ張りバネの他方の端部に柔軟性のワイヤーを接続し、これらをパイプ内に収める。
又、パイプの外周に第１コイルを設け、ワイヤーの他方を移動板に接続する。
【００１２】
移動板内部に球体の移動体を入れて、移動体が移動板内を回転して移動できるように空間を設け、また、ケース下部に移動体が一定の角度まで停止できるように保持体を設ける。
第１コイルをケースに固定し、又、このケース内に移動板も配置し、移動板がケース内を左右に移動できる空間を設ける。
一方で、第１マグネットに吸引力を与える磁性体をケース側面に取り付け、この磁性体と第１マグネットが吸引して近づくようにする。
【００１３】
磁性体と第１マグネットの吸引力を調整する為に、非磁性体のネジをケース側面に取り付け、このネジの移動により、磁性体と第１マグネットの距離が変化して、吸引力が調整できるようになる。
これにより、第１マグネットとネジは通常の状態では吸引して近づいている状態となっている。
【００１４】
このケースを人体や杖に取り付ける為に、ケース底部にバンドが取り付けられており、このバンドにより本案の表示器を人体の手足に取り付ける。
【００１５】
人が垂直に立っている状態で、ケースをやや斜めに足に取り付けた場合、磁性体と第１マグネットが吸引して近づいていて、移動体はケース下部にある保持体上にあり、人が歩き出だすとケースは逆の方向へ傾き始め、一定の角度を超えた瞬間に、移動体が移動して移動板に衝突し、その衝撃で、移動板の端部に接続された、ワイヤーを引っ張る。
【００１６】
ワイヤーが引っ張られると、それに接続される引っ張りバネが伸び始め、磁性体と第１マグネットの吸引力より、引っ張りバネの伸縮力とワイヤーの引っ張る力が勝った時に、第１マグネットは移動体の移動方向へ移動して第１コイル内を通過する。
この時、第１コイル内には誘導電流が発生して、その出力により終端の発光ダイオードが点灯する。
【００１７】
引っ張りバネに接続された第１マグネットは、移動板の端部方向へ移動して、引っ張りバネは収縮し、合わせて、柔軟性のワイヤーが緩むことにより、第１マグネットはワイヤーが緩んだ領域分まで移動することが可能となり、第１マグネットは移動板の端部方向へ加速する形となって移動する。
その結果、第１マグネットの移動速度は、通常のケースの傾きで得られる速度より速く第１コイル内を移動し、その瞬間的移動により第１コイルに発生する誘導電流は増大して、高い電気エネルギーが発生する。
【００１８】
移動板の端部方向へ移動した第１マグネットは、ワイヤーの移動距離に加えて、ワイヤーの緩みにより発生する距離の分まで移動し、パイプの端部へ移動する。
その後、人が移動して足が垂直になりながら止まると、その惰性の反動により、移動板と移動体は元の位置へ移動する。
これと同時に、第１マグネットも移動し、更に磁性体より得られる吸引力により、第１マグネットは元の位置へ移動して磁性体と第１マグネットは吸引して近づく。
【発明の効果】
【００１９】
電池駆動や電灯を利用しないで、自己発電できる振動発電を応用して発光ダイオードを点灯させ、周囲にその場所の存在を知らせる場合で、通常の振動発電装置を徐々に傾斜させていくと、その角度に応じてパイプ内部の第１マグネットは移動し始める為、第１コイル内を移動する速度は遅くなり、発光ダイオードを明るく点灯することができない。      
また、文献１や４のように、移動部のマグネットを人体の別の箇所に設けることは装置が複雑になり、困難である。
【００２０】
しかしながら、本案に於いては前項のように、人が歩くときに繰り返し生じる手足の角度変化を利用して、表示器を緩やかに傾斜させていき、ある一定の角度を超えた場合に移動体を移動させて、ワイヤーに急激な引っ張る力を与える。
その後、ワイヤーを引き続け、引っ張りバネの収縮力が第１マグネットと磁性体の吸引力を上回った瞬間、パイプ内の第１マグネットが、通常の傾斜で得られる速度より速く、第１コイル内を移動して外側の第１コイルに瞬間的な電気エネルギーを発生させることができ、数個の発光ダイオードを明るく点灯することができる。
【００２１】
又、第１マグネットは、パイプ内の移動先でもワイヤーの緩みや引っ張りバネの収縮による空間を利用でき、その範囲内に新たな第２、第３コイルを含む数個のコイルを配置すると、第１コイルで得られなかった移動先での電気エネルギーを取得でき、パイプの外周に取り付けた複数のコイルに電気エネルギーを発生させ、より大きな電力を取り出すことができる。
【００２２】
これにより、本案の表示器を人体だけでなく、海面に浮かぶブイやいかだ等に取り付け、この表示器全体に繰り返し傾斜が発生するようにして使用すると、パイプ内部の第１マグネットが第１コイル、或は、複数の第２、第３コイル内を移動し、各コイルに誘導電流を発生させて発光ダイオードを点灯し、この表示器を取り付けたブイやいかだの位置や存在を知らせることができる。
【図面の簡単な説明】
【００２３】
【図１】本発明の表示器の実施例を示したもので、表示器を人の手足に取り付けた図である。
【図２】表示器の詳細を示した斜視図である。
【図３】図２の断面図であって、移動体と第１マグネットの移動前の状態を表した図である。
【図４】図２の断面図であって、移動体と第１マグネットが移動した状態を表した図である。
【図５】本発明の実施形態における表示器の他の実施形態を示したもので、（Ａ）はケース下部に突起を設けた断面図であり、（Ｂ）はケース下部に傾斜を設けた断面図である。
【図６】本発明の実施形態における表示器の他の実施形態を示したもので、（Ａ）は移動板内部に鉄球を入れ、ケース側面に第２マグネットを取り付けた断面図であり、（Ｂ）は移動板下部に車輪を設けた断面図である。
【図７】本発明の実施形態における表示器の他の実施形態を示したもので、パイプ内に第１マグネットと移動体を直線状に配置した断面図である。
【図８】本発明の実施形態における表示器の他の実施形態を示したもので、パイプを削除し、第３マグネットを移動させる方法を示した断面図である。
【図９】本発明の実施形態における表示器の他の実施形態を示したもので、パイプを削除し、第２コイルを移動させる方法を示した断面図である。
【図１０】本発明の実施形態における表示器の他の実施形態を示したもので、パイプを削除し、第１マグネットを移動させる方法を示した断面図である。
【図１１】本発明の表示器の実施形態を示したもので、（Ａ）はバンドとケースの組み合わせを示した断面図であり、（Ｂ）は他の実施形態を示したもので、オス、メスの面ファスナーによりケースとバンドを接続した断面図である。
【図１２】コイルと配線、及び発光ダイオードを示した回路図である。
【図１３】本発明の実施形態における表示器の他の実施形態を示したもので、パイプと移動体を削除し、第２コイルを移動させる方法を示した断面図である。
【図１４】本発明の実施形態における表示器の他の実施形態を示したもので、パイプと移動体を削除し、第１マグネットを移動させる方法を示した断面図である。
【発明を実施するための形態】
【実施例１】
【００２４】
以下、本発明に係る表示器１の好適な実施形態を、図面に従って説明する。
図１は本発明の表示器１を人体の手や足に取り付けた図であり、図２はその詳細を示した斜視図であり、図３、図４は断面図である。
【００２５】
図１、図２で示すように、表示器１を人体の手や足に取り付ける為に、ケース１０にはバンド４４があり、夜の外出や散歩時に図１に示すように手や足首にバンド４４を巻きつけ、図２に示すように、やや右側に傾けて先端の面ファスナー１１により固定する。  
表示器１の内部構造は、図２の斜視図と図３、図４の断面図で示すように、第１マグネット３に弾性体の引っ張りバネ４を接続し、引っ張りバネ４の他方の端部に柔軟性のワイヤー１３を接続する。
【００２６】
更に、ワイヤー１３の他方は移動板１５の左端部に接続される。
移動板１５の内部に球体状の非磁性体の移動体８が入っており、この移動体８は、移動板１５内部を左右に移動できるようにする。
第１マグネット３の他方は、ケース１０の側面に取り付けられた鉄製の磁性体７に吸引して近づいており、ケース１０の側面に取り付けられた非磁性体のネジ９の移動により、第１マグネット３と磁性体７の距離を調整して吸引力を調整している。
【００２７】
図２と図３に示すように、第１マグネット３はパイプ６内に挿入され、そのパイプ６の外周に第１コイル５が有り、第１コイル６から発生する誘導電流は電線１２により、ケース１０の側面に取り付けられた２つの発光ダイオード２に出力され、その電気配線内容は図１２のように示される。
また、移動板１５が移動してケース１０に当たり、その時に発する衝突音を吸収する為に、クッション１６がケース１０の側面に取り付けられている。
【００２８】
ケース１０の下部に保持体１４を固定し、ケース１０が少し左に傾斜しても、移動体８が移動しないようにし、図１に示すように、左足首が斜めに傾いた場合、移動体８の重力により、一気に移動体８が移動するように調整しておく。
同様に、磁性体７に吸引されている第１マグネット３も、ケース１０が左に傾斜しても移動板１５が移動しない限り移動しないように、ネジ９を移動させて最適な吸引状態を調整しておく。
但し、磁性体７の大きさを調整し、第１マグネット３の切り離しが容易に行なわれる場合は、ネジ９を省いても良い。
【００２９】
バンド４４を人体の足に取り付け、ケース１０の傾きを変化させ、その状態を維持する為に、バンド４４とケース１０の間に、ネジ３９を利用して圧縮バネ４０を設けてある。
これにより、図１１（Ａ）のように、ケース１０をバンド４４の反対側に手で引っ張って移動させ、ケース１０の角度を変化させて手を離すと、バンド４４とケース１０は、圧縮バネ４０により密着し、ケース１０の角度が変化して、更にその角度が維持される。
【００３０】
表示器１を人の足首に取り付け、両足を揃えて垂直に立っている状態で、ケース１０を図２のように、やや右側に傾斜させて取り付けると、図３に示すように移動体８はケース１０の右側の保持体１４上に移動し、又、第１マグネット３と磁性体７は吸引して第１マグネット３もケース１０の右側に有る。
【００３１】
この状態から人が動き出し、図１の状態に左足首が傾斜すると、同様にケース１０も左に傾斜し、移動体８が保持体１４上に停止している限界値を超えると、一気に左に動き始め、移動板１５の左端部に当り、その衝撃で移動板１５を左へ移動させる。
これにより、ワイヤー１３を引っ張り始め、引っ張りバネ４は伸び始める。
【００３２】
衝突によって移動する移動板１５の力と引っ張りバネ４の収縮力が、第１マグネット３と磁性体７の吸引力を超えた瞬間、第１マグネット３も一気に左へ移動し、図４に示すように、第１コイル５を通過し、第１コイル５に誘導電流を発生させ、発光ダイオード２が点灯する。
引っ張りバネ４と移動板１５間は柔軟性のワイヤー１３を使用しているため、第１マグネット３はワイヤー１３が緩んだ領域まで移動できる為、発電領域が増え、この部分にも新たなコイルを設置すると、発電量を増やすことができる。
【００３３】
更に、人が移動すると図１の左足は、前に移動しながら右足のように垂直になり、又、急に止まる為、移動板１５内部の移動体８とパイプ６内の第１マグネット３は、その反動とケース１０が元の右下がりの状態になる為に、ケース１０の右側へ移動するようになる。
パイプ６内を移動した第１マグネット３は磁性体７の吸引力により、近づいて図３の状態に復帰し、人が歩いている間、同じ動作を繰り返し発電することになる。
【００３４】
通常の振動発電装置を利用した場合では、ケース１０が緩やかに傾斜していく過程に於いて、パイプ６内の第１マグネット３は移動し始め、第１コイル５までの加速する移動距離は短くなり、又、第１コイル５内を移動する速度は遅く、発電効率が低くなり、第１コイル５に誘導電流を発生させても、発光ダイオード２を明るく点灯させることは難しい状況であった。
【００３５】
しかしながら、本案のようにある一定の傾斜角度まで、第１マグネット３を停止させ、一気に移動させることにより、第１コイル５までの加速する移動距離は長くなり、更に第１コイル５内を移動する速度を速めて発電効率を上げ、発光ダイオード２の照度を上げることができるようになる。
【００３６】
また、お年寄りが利用する場合は、歩く速度は緩やかであり、ケース１０の傾く速さは更に遅くなるが、図７のように、ケース２２を長くして移動体８の加速する移動距離と衝撃の強さを増すような構造にすると、前項と同じ重力と衝撃を得ることが出来る為、発電効果を維持することが可能となる。
【００３７】
本案に於いて、移動板１５の両端下部がケース１０に接しているが、これはケース１０と移動板１５の接する面を少なくし、摩擦を軽減する為である。
その為、図６（Ｂ）に示すように移動板１５の下部を塞いで、車輪２１を取り付け、磁性体で球体状の移動体１９と第２マグネット２０を利用して、移動板１５の移動速度を速めるように動作させても良い。
【００３８】
同様に、移動体８の形状を円筒や三角、多角柱にしても良く、また、移動体８の材質は非磁性体の鉛やステンレス、真ちゅう、銅など、第１マグネット３の移動に影響を与えない素材を利用するが、第１マグネット３と移動体８の距離が有り、影響を与えない場合は、磁性体にしてもよく、又、磁性体で球体状の移動体１９を利用しても良い。
【００３９】
保持体１４は一定の傾きを超えるまで、移動体８を停止しておくものであるため、その材質は移動体８が沈み込むようなクッションやスポンジ、ゴム等で形成し、移動体８の移動に抵抗を与え、摩擦力のある材質で形成するようにする。
また、主にジョギングやランニング等、比較的に移動速度が速い動作で使用する場合は、ケース１０の傾斜が早く変化するので、移動体８を停止しておく必要がなくなる為、保持体１４を省いても良い。
【００４０】
第１マグネット３、磁性体７以外のケース１０や引っ張りバネ４、パイプ６等の材質は出来る限り第１マグネット３や磁性体７に影響を与えないアルミやステンレス、プラスチック、ガラス、ゴム等の非磁性体の物を用いる。
又、弾性体の引っ張りバネ４の代わりに、弾性体のゴムやクッションを利用しても良い。
【００４１】
図２や図３に於いて、発光ダイオード２はケース１０の側面に取り付いているが、ケース１０にコンセントを設け、第１コイル５からの出力をコンセントに出力し、コンセントにプラグを接続して電線を繋げ、終端に発光ダイオード２を取り付けて、ケース１０とは別の場所で発光させても良い。
又、ワイヤー１３の緩みによる領域での発電を利用しない場合は、ワイヤー１３の代わりに硬い棒状の板を引っ張りバネ４に接続して利用しても良い。
【００４２】
表示器１は、図１１（Ａ）に示すように、バンド４４とネジ３９と圧縮バネ４０により、ケース１０の角度を変えて人体に取り付けているが、図１１（Ｂ）のようにバンド４４にオス面ファスナー４１を取り付け、ケース１０にメス面ファスナー４２を取り付けて、容易に切り離す構造にしてケース１０の角度を変更できるようにしても良い。
【実施例２】
【００４３】
本案の表示器１は、徐々に変化するケース１０の傾きに応じて移動する移動体８を保持体１４上に停止しておき、ケース１０の傾きが一定の限度を超えたときに、移動体８を移動させて移動板に衝突させ、その衝撃による重力で第１マグネット３と磁性体７を切り離し、第１マグネット３を瞬時に移動させて発電する方法であり、保持体１４の代わりに移動体８を停止しておく方法を、図面に従って次に説明する。
【００４４】
図５（Ａ）は、実施例１の図３のケース１０下部に突起１７を設けたものであり、移動板１５が左に傾いた時に、この突起１７により、移動体８を一端停止しておくようにしたものである。
この突起１７の高さにより、突起１７の左側の移動板１５と右側の移動板１５に段差が生じ、実施例１の保持体１４上で移動体８が沈み込んだ状態と同じになり、移動体８の重力が、移動体８の停止を維持する突起１７の摩擦力を超えた時に、移動体８を移動させている。
その他の部材は、実施例１と同様な構造と内容なので説明を省略する。
【００４５】
同様に図５（Ｂ）は、実施例１の図３のケース１０下部に傾斜部１８を設けたもので、ケース１０が左に傾いても、移動体８は傾斜部１８の角度分まで移動せず、移動体８を留めておくことができ、移動体８の重力が、移動体８を傾斜部１８上に維持する摩擦力を超えた時に、移動体８を移動させている。
【００４６】
また、図６（Ａ）は、実施例１の図３の移動体８を磁性体で球体状の移動体１９にして、ケース１０の側面に第２マグネット２０を取り付けたもので、両者の吸引力により移動体１９を保持し、ケース１０が傾いて、移動体１９と移動板１５の重力が、移動体１９と第２マグネット２０の吸引力を超えた時に、移動体１９を移動させている。
この時、移動体１９の移動時に於ける摩擦が低い場合は、移動体１９の形状を円筒や三角、多角柱にしても良い。
【００４７】
更に、図６（Ｂ）は、移動板１５の移動時におけるケース１０との摩擦を更に軽減する為に、移動板１５の下部を塞ぎ、車輪２１を移動板１５の下部へ設けたものである。
これにより、移動板１５の移動速度は速まり、結果として、ワイヤー１３を引っ張る力は大きくなり、第１マグネット３の移動速度を速めて誘導電流を大きくすることにより、発電効率を高めることができ、発光ダイオード２の照度を上げることができる。
【００４８】
図６（Ｂ）で移動板１５に取り付けた車輪２１は、ケース１０との摩擦を軽減する為に取り付けたものであるので、車輪２１の代わりにケース１０の下部に小さなベアリングなどの球体を取り付けてもよく、凹凸を設けて移動板１５との摩擦面を少なくし、摩擦を軽減する構造にしても良い。
その他の部材は、実施例１と同様な構造と内容なので説明を省略する。
【実施例３】
【００４９】
次に、実施例１で使用した引っ張りバネ４、ワイヤー１３、移動板１５を利用しないで、直接、移動体８を第１マグネット３に衝突させ、その衝撃による重力で第１マグネット３を移動させる方法について説明する。
図７は、実施例１のケース１０を横長にしたケース２２にしたものであり、同様に、横長のパイプ２４の外周に第１コイル５と磁性体２３を設け、パイプ２４の左側に弾性体の圧縮バネ２５を配置し、第１マグネット３と磁性体２３を吸引させておく。  
【００５０】
パイプ２４の右側下部を削除してケース２２に保持体１４を固定し、移動体８が保持体１４上に移動したときに、移動体８が沈み込み、ケース２２が一定の傾きまで移動しないようにしておく。
第１マグネット３と磁性体２３は吸引して、近づいており、ケース２２が左に傾いても第１マグネット３は移動せず、移動体８が衝突した時は直ぐに移動するように磁性体２３の大きさを調整しておく。
【００５１】
実施例１同様に、人体の足首に取り付けられた表示器１は、両足を揃えて垂直に立っている時は、やや右側に傾斜するように取り付けられており、図７に示すように移動体８はケース２２の右側の保持体１４上に有り、又、第１マグネット３と磁性体２３は吸引して、第１コイル５の右側に位置している。
【００５２】
人が移動して左足首が傾斜すると、ケース２２も傾斜し、保持体１４上に有る移動体８の重力が、移動体８を保持体１４上に維持する摩擦力を超えた時に、移動体８が移動して第１マグネット３に衝突し、その衝突した重力が、第１マグネット３と磁性体２３の吸引力を超えたときに、第１マグネット３が第１コイル５内を移動して誘導電流を発生させて発光ダイオード２が点灯する。
【００５３】
第１マグネット３と移動体８の急激な重力により、圧縮バネ２５は縮み、その後、人が移動すると図１の右足ように垂直になり、又、急に止まる為、パイプ２４内部の移動体８と第１マグネット３は、その反動と圧縮バネ２５の伸縮力により、右へ移動して第１コイル５を通過して発電する。
ケース１０が右側に傾くことにより、移動した第１マグネット３は磁性体２３の吸引力により、磁性体２３に近づいて停止する。
【００５４】
一方で、移動体８は移動を続け、ケース２２の右端に有る保持体１４上に移動して停止し、人が歩いている間、同じ動作を繰り返し発電することになる。
本案に於いて、使用する圧縮バネ２５は第１マグネット３を元の位置へ復帰させることと、復帰時においても第１コイル５内を通過して発電することを目的としており、圧縮バネ２５の代わりに、クッションやスポンジ、ゴム等を利用してもよく、図８の第４マグネット２７のように、第１マグネット３に反発力を与える極性のマグネットをケース２２の左側に取り付けて、第１マグネット３を反発させて移動させても良い。
【００５５】
また、実施例２のようにケース２２に突起１７や傾斜部１８を設けて動作させてもよく、主にジョギングやランニング等、比較的に移動速度が速い動作で使用する場合は、ケース２２の傾斜が早く変化するので、移動体８を停止しておく必要がなくなる為、保持体１４や圧縮バネ２５を省いても良い。
【００５６】
実施例１や２と同様に、移動体８の形状を円筒や三角、多角柱にしても良く、また、移動体８の材質は非磁性体の鉛やステンレス、真ちゅう、銅など、第１マグネット３の移動に影響を与えない素材を利用する。
【００５７】
図７に於いて、主にジョギングやランニング等、比較的に移動速度が速い動作で使用する場合は、移動体８と磁性体２３を削除して第１マグネット３を直接保持体１４上に停止して動作することも可能となる。
この場合の動作を説明すると、表示器１を人の足に取り付けて、ケース２２を傾斜させ、第１マグネット３の重力が、保持体１４上に第１マグネット３が停止する摩擦力を超えたときに、第１マグネット３は移動して第１コイル５内を通過して発電するようになる。
【００５８】
それ故、保持体１４の代わりにケース２２に突起１７や傾斜部１８を設けて動作させることも可能であり、ケース２２の右側に磁性体２３を取り付けて、第１マグネットを吸引させて近づけて停止させ、第１マグネットの重力により、吸引力を開放して動作させることも可能となる。
その他の部材は、実施例１と同様な構造と内容なので説明を省略する。
【実施例４】
【００５９】
次に、図３の第１マグネット３の移動を支えるパイプ６の代わりに保持棒３３を利用し、第３マグネット２６が、第１コイル５の内部を広くした第２コイル３６内を移動する方法について説明する。
図８は、図３のパイプ６と引っ張りバネ４、ワイヤー１３を削除し、中心部に空洞を設けた第３マグネット２６が第２コイル３６内を移動して発電するようにした物である。
又、移動板２８内に移動体８があり、ケース１０内部を移動できるようにしてある。
【００６０】
内部が空洞の第３マグネット２６に保持棒３３を通し、第２コイル３６と第３マグネット２６の外側に移動板２８の両端部を配置して、第２コイル３６をケース１０に取り付ける。
移動板２８の両端部は穴３８が開いており、その内部を保持棒３３が通過し、移動板の左端部とケース１０の間に弾性体の圧縮バネ２５を設け、この保持棒３３の両端はケース１０の側面で支えられている。
また、第３マグネット２６は移動板２８の右端部を挟んで磁性体７と吸引して近づいている。
【００６１】
移動板２８の左側にある圧縮バネ２５は、第３マグネット２６と移動板２８が移動した際に縮んで、その後、伸縮力により移動板２８と第３マグネット２６を反発させて、第３マグネット２６を再度右側へ移動させるようにしたものであり、第３マグネット２６の移動力が大きい場合には、その反動で、再度第２コイル３６内に戻り、発電を行なうようにもしている。
同様に、ケース１０の左側にある第４マグネット２７の極性も第３マグネット２６に反発力を与える極性にして配置しており、圧縮バネ２５と合わせて第３マグネット２６を反発させて右側に移動させ、発電も行なえるようにしている。
【００６２】
実施例１同様に、人体の足首に取り付けられた表示器１は、両足を揃えて垂直に立っている時は、やや右側に傾くように取り付けられており、図８に示すように移動体８は、ケース１０に固定された保持体１４上にあり、又、第３マグネット２６と磁性体７は吸引して、第２コイル３６の右側に位置している。
【００６３】
この状態から人が移動して図１のように左足首が傾斜すると、ケース１０も傾斜し、移動体８が保持体１４上に停止している限界値を超えると、一気に左に動き始め、移動板２８の左端部に当り、その衝撃で移動板２８を左へ移動させる。
この衝突による衝撃により、移動板２８の右端部は第３マグネット２６と磁性体７との吸引力を開放するように移動するため、第３マグネット２６と磁性体７との吸引力を超えた力が、移動板２８の右端部に働くと、一気に第３マグネット２６は第２コイル３６内を通過する。
この瞬間、第２コイル３６には誘導電流が発生し、発光ダイオード２が点灯する。
【００６４】
第３マグネット２６の急激な重力により、圧縮バネ２５は縮み、更に人が移動すると、図１の右足のように、前に移動しながら垂直になり、又、急に止まる為、保持棒３３に支えられている第３マグネット２６は、その反動と圧縮バネ２５の伸縮力、及びケース１０が右側に傾くことにより、ケース１０の右側へ移動するようになる。
【００６５】
同様に、移動体８もその反動で右側に移動し始め、移動した第３マグネット２６は磁性体７の吸引力により磁性体７に近づいて停止し、移動体８は保持体１４上に停止する。
実施例１同様に、人が歩いている間、同じ動作を繰り返し発電することになる。
【００６６】
第４マグネット２７と圧縮バネ２５は第３マグネット２６を反発させて、元の位置への復帰を助け、第２コイル３６内を通過して発電も行なえるようにしている目的もある。
表示器１を取り付けた場所や取り付け角度、繰り返し行なわれる傾斜の速度により、第３マグネット２６の切り離しや移動速度は変化し、容易に第３マグネット２６が右側の定位置に復帰できる場合は、第４マグネット２７と圧縮バネ２５を削除しても良く、どちらか一方を取り付けて動作させても良い。
【００６７】
また、保持体１４を削除し、移動体８の代わりに実施例２で利用した磁性体の移動体１９を使用し、ケース１０に第２マグネット２０を取り付けて移動体１９がケース１０の右側に停止するようにしても良い。
この時、移動体１９の移動時に於ける摩擦が低い場合は、移動体１９の形状を円筒や三角、多角柱にしても良い。
更に、実施例３と同様に、圧縮バネ２５の代わりに、クッションやスポンジ、ゴムを利用しても良い。
【００６８】
本案に於いては、パイプ６と同じ役割を果たし、第３マグネット２６の移動が常に一定の場所を左右に移動できるように、パイプ６の代わりに保持棒３３を利用して第２コイル３６内を移動させているが、実施例１と同様にパイプ６を利用して、移動板２８の両端部が移動できるように、パイプ６の一部を削除し、第３マグネット２６を押し出しできる構造にして動作させても良い。
【００６９】
また、実施例２のようにケース１０に突起１７や傾斜部１８を設けて動作させてもよく、主にジョギングやランニング等、比較的に移動速度が速い動作で使用する場合は、ケース１０の傾斜が早く変化するので、移動体８を停止しておく必要がなくなる為、保持体１４や圧縮バネ２５を省いても良く、移動体８の形状を円筒や三角、多角柱にしても良い。
更に、図９のように移動板２８下部に車輪２１を取り付け、移動板２８の移動速度を速めるような構造にしても良く、その他の内容や部材は、実施例１，２と同様な構造と内容なので説明を省略する。
【実施例５】
【００７０】
次に、図３の第１コイル５を、内部を広くした第２コイル３６にしてパイプ６を省き、車輪２１が付いた移動板３２により第１マグネット３の外側を移動する方法について説明する。
図９は、ケース１０の内部に保持棒３３を設け、保持棒３３を支えとして、車輪２１が付いた移動板３２が移動できるように、移動板３２には、穴３８が設けられている。
また、移動板３２内部には、磁性体で球体の移動体１９が有り、ケース１０の側面には第２マグネット２０が取り付けられ、上部には第２コイル３６が取り付けられている。
【００７１】
更に、接続板３４によって連結された第１マグネット３と第５マグネット３０が、左右にある連結棒３１により支えられ、ケース１０に固定されている。
これら２つのマグネットの外側を移動板３２に取り付けられた第２コイル３６が移動し、第２コイル３６からの出力は、伸縮できるカールコード２９に出力され、第２コイル３６の移動を容易にし、カールコード２９を通して終端の発光ダイオード２へ出力される。
【００７２】
実施例１同様に、人体の足首に取り付けられた表示器１は、両足を揃えて垂直に立っている時は、やや右側に傾斜して取り付けられており、移動体１９と第２マグネット２０は吸引し合い、移動板３２の右端部は挟まれてケース１０の右側にあり、又、第２コイル３６は第１マグネット３の右側に位置している。
【００７３】
この状態から人が移動して左足首が傾斜すると、ケース１０は左側に傾斜し、移動板３２と移動体１９の重力が、第２マグネット２０と移動体１９の吸引力を超えると、移動体１９と車輪２１の付いた移動板３２は速い速度で移動を開始する。
更に移動体１９が左に移動して移動板３２の左端部に当ると、その衝撃も加わって、移動板３２は更に加速し、第２コイル３６は、第１マグネット３と第５マグネット３０の外側を通過し、ケース１０の左側へ移動する。
この瞬間、第２コイル３６には、２回誘導電流が発生し、発光ダイオード２が点灯する。
【００７４】
人が移動すると、図１の右足のように左足は、前に移動しながら垂直になり、又、急に止まる為、保持棒３３に支えられている移動板３２と移動体１９は、その反動とケース１０が右に傾くことにより、ケース１０の右側へ移動するようになる。
また、移動した移動体１９は第２マグネット２０の吸引力により近づいて停止し、人が歩いている間、同じ動作を繰り返し発電することになる。
【００７５】
本案に於いては、人の移動速度が遅く、更に、ケース１０の傾斜角度が小さい場合にも、効率の良い発電を行なえるように、移動板３２の下部に車輪２１を設けて第２コイルの移動速度を高めるようにしてあるが、表示器１を通常、走ったりして勢いよく移動させて利用する場合は、車輪２１を省いてもよく、第１マグネット３を削除して、左側の連結棒３１に第５マグネット３０だけを取り付けてケース１０の幅を短くし、移動板３２の移動距離を短くして動作させても良い。
また、移動体１９の移動時に於ける摩擦が低い場合は、移動体１９の形状を円筒や三角、多角柱にしても良い。
【００７６】
図９に於いて、移動体１９の代わりに非磁性体の移動体８を使用し、移動板３２に磁性体７を取り付けて移動板３２と第２マグネット２０吸引させて動作させても良く、移動板３２に第２マグネット２０を取り付け、ケース１０に磁性体７を取り付けて動作させても良い。
また、実施例１や２のように非磁性体の移動体８を使用した場合、ケース１０に保持体１４や突起１７、傾斜部１８を設けて動作させてもよく、この時、移動体８の移動時に於ける摩擦が低い場合は、移動体８の形状を円筒や三角、多角柱にしても良い。
【００７７】
図９に於いて、接続板３４とマグネットの数を増やし、第１マグネット３へ追加して取り付けて発電量を増加させてもよく、第２コイル３６の数を増やして発電量を増加させても良い。
カールコード２９は、第２コイル３６の移動幅が広い場合に、電線１２に負荷がかからないようにする為のものであり、第５マグネット３０のみを利用して移動幅を狭くし、動作させる場合は、そのまま電線１２を第２コイル３６に接続しても良い。
【００７８】
保持棒３３は実施例１のパイプ６の役割と同じように、第２コイル３６が２つのマグネットに接触しないで、その外側を移動できるようにしているので、移動板３２が常に一定の軌道上を左右に移動できる場合は、削除してもよい。
その他の内容や部材は、実施例１，２と同様な構造と内容なので説明を省略する。
【実施例６】
【００７９】
次に、図３のパイプ６を利用しないで、接続板４３で接続された第１マグネット３と第５マグネット３０を移動させ、発電する方法について説明する。
図１０は、図３のケース１０内部に保持棒３３を設け、保持棒３３を支えとして、移動板３２が移動できるように、移動板３２には、穴３８が設けられている。
また、移動板３２内部には、非磁性体で球体の移動体８が有り、上部には接続板３５によって接続され、２つのマグネットを有する接続板４３が取り付けられている。
【００８０】
接続板４３によって連結された第１マグネット３と第５マグネット３０が、左右にある第３コイル３７と第２コイル３６内を移動できるように、２つのコイルはケース１０に固定され、各々左右の発光ダイオード２へ接続されている。
また、ケース１０の側面には、移動板３２に取り付けられた第２マグネット２０に吸引力を与える磁性体７が取り付けられ、ケース１０の下部には保持体１４が固定され、移動体８が移動してきた場合に、この上に乗って移動体８が停止できるようにしてあり、実施例２のようにケース１０に突起１７や傾斜部１８を設けて動作させてもよい。
【００８１】
実施例１同様に、人体の足首に取り付けられた表示器１は、両足を揃えて垂直に立っている時は、やや右側に傾斜して取り付けられており、磁性体７と第２マグネット２０は吸引し合い、第２マグネット２０が磁性体７に近づいて、移動板３２はケース１０の右側に位置し、移動体８は保持体１４上にある。
【００８２】
この状態から人が移動して左足首が傾斜すると、ケース１０は左側に傾斜し、保持体１４上に停止していた移動体８の重力が、保持体１４の摩擦力を超えた場合、移動体８は左へ動き出し、移動板３２の左端部に勢いよく当る。
この衝撃が第２マグネット２０と磁性体７の吸引力を超えた瞬間、２つのマグネットは左へ移動し、第２コイル３６と第３コイル３７内を通過し、２つのコイルに誘導電流を発生させて、それぞれの発光ダイオード２が点灯する。
【００８３】
更に、人が移動すると図１の右足のように、左足は前に移動しながら垂直になり、又、急に止まる為、保持棒３３に支えられている移動板３２と移動体８は、その反動とケース１０が右に傾くことにより、ケース１０の右側へ移動するようになる。
また、移動した移動体８は保持体１４上の元の位置へ移動して停止し、移動板３２は第２マグネット２０と磁性体７の吸引力によりケース１０の右側に近づいて停止し、人が歩いている間、同じ動作を繰り返し発電することになる。
【００８４】
本案に於いては、人の移動速度が遅く、更に、ケース１０の傾斜角度が小さい場合にも、効率の良い発電を行なえるように、移動体を球状の移動体８にして移動速度を高めている。
それ故、表示器１を通常、走ったりして勢いよく移動させて利用する場合は、第２コイル３６を削除して第３コイル３７だけにし、移動板３２上に接続板４３と第５マグネット３０を取り付けてケース１０の幅を短くし、移動板３２の移動距離を短くして動作させても良い。
また、移動体８の移動時に於ける摩擦が低い場合は、移動体８の形状を円筒や三角、多角柱にしても良い。
【００８５】
図１０に於いて、保持体１４を削除し、移動体８の代わりに実施例２や５で利用した磁性体の移動体１９を使用し、ケース１０に第２マグネット２０を取り付けて移動体１９がケース１０の右側に停止するようにしても良く、この時、移動体１９の移動時に於ける摩擦が低い場合は、移動体１９の形状を円筒や三角、多角柱にしても良い。
【００８６】
保持棒３３は実施例１のパイプ６の役割と同じように、２つのマグネットが第２コイル３６と第３コイル３７に接触しないで、その内部を移動できるようにしているので、移動板３２が常に一定の軌道上を左右に移動できる場合は、削除してもよい。
また、図９のように移動板３２下部に車輪２１を取り付け、移動板３２の移動速度を速めるような構造にしても良い。
その他の内容や部材は、実施例１，２と同様な構造と内容なので説明を省略する。
【００８７】
実施例１から６までの実施例で示すように、人体の足首に取り付けた表示器１が傾斜して、一定の傾斜角度を越えた時に、コイルの内部をマグネットが移動し、或は、マグネットの外側をコイルが瞬時に移動して発電効率を高め、発光ダイオード２を点灯させることにより、夜の散歩やウォーキング等、歩く速度が遅くても周囲に存在を知らせることができる。
【００８８】
それ故、ランニングやジョギングのように、やや早い速度で移動する場合、又は、繰り返し行なわれるケース１０の傾斜角度の変化の周期が短い場合は、移動体８をある傾斜角度まで留めておく必要がないため、保持体１４や突起１７、傾斜部１８など、移動体８を停止しておく構造を削除しても良く、移動体８の移動時に於ける摩擦が低い場合は、移動体８の形状を円筒や三角、多角柱にして動作させても良い。
同様に、移動体１９の移動時に於ける摩擦が低い場合は、移動体１９の形状を円筒や三角、多角柱にしても良い。
【実施例７】
【００８９】
前項の実施例６までは、人の足に取り付けた表示器１を、主に散歩等、移動速度が遅い場合を想定して考案したもので、表示器１がゆっくり傾斜するときにでも効率の良い発電を行なえるような構造にしてあるので、次に、早い速度で傾斜が行なわれるジョギングやランニング等の場合についての発電方法について説明する。
【００９０】
傾斜する速度と周期が早い為、移動体８を停止させておかなくても、コイルに高い誘導電流を発生させることができるので、使用する部品を削除することができ、また、構造を簡略化できる。
【００９１】
図１３は、実施例５で説明した図９の保持棒３３と磁性体の移動体１９、第２マグネット２０を削除したもので、ケース１０下部に保持体１４を設け、その上に移動板３２の右側に有る車輪２１が乗るようにしてある。
この車輪２１を利用することにより、ケース１０との摩擦を少なくして、移動板３２を高速で移動させることが可能となり、発電量を上げることができる。
その他の構造と内容は実施例５で説明してあるので省略する。
【００９２】
実施例５同様に、人体の足首に取り付けられた表示器１は、両足を揃えて垂直に立っている時は、やや右側に傾斜して取り付けられており、移動板３２はケース１０の右側にあり、移動板３２の下に取り付けられた車輪２１は保持体１４の上にある。
【００９３】
この状態から人が早い速度で移動して左足首が傾斜すると、ケース１０は左側に傾斜し、移動板３２の重力が、車輪２１を保持体１４上に停止している限界値を超えると、車輪２１の付いた移動板３２は速い速度で移動を開始する。
これにより、移動板３２上の第２コイル３６は、第１マグネット３と第５マグネット３０の外側を通過し、ケース１０の左側へ移動する。
この瞬間、第２コイル３６には、移動速度が速まった分の発電効率が得られ、２回誘導電流が発生し、発光ダイオード２の照度が上がって点灯する。
【００９４】
人が移動すると、図１の右足のように左足は、前に移動しながら垂直になり、又、急に止まる為、移動板３２は、その反動とケース１０が右に傾くことにより、ケース１０の右側へ移動するようになる。
実施例５同様に、人がランニングしている間、同じ動作を繰り返し発電することになる。
【００９５】
本案に於いては、人の移動速度が速く、表示器１が傾斜する周期と速度が早い為、移動板３２を保持体１４上に停止しておく時間が短くなる。
その為に、実施例５で利用した移動体１９の衝突による力を必要としないで、移動板３２を早く移動させることができる。
それにより、更に早い速度で移動する場合は、保持体１４を省いても良い。
【００９６】
また、実施例５のように、ケース１０に突起１７や傾斜部１８を設けて動作させてもよく、第１マグネット３を削除し、左側の連結棒３１に第５マグネット３０だけを取り付けてケース１０の幅を短くし、移動板３２の移動距離を短くして動作させても良い。
更に、第２コイル３６が２つのマグネットの外側を移動する時の軌道が不安定な場合は、
移動板３２に保持棒３３を通して動作させても良く、或は、第２コイル３６内にパイプを挿入して、第１マグネット３がパイプの内部を移動できるようにしても良い。
【実施例８】
【００９７】
図１４は、実施例６で説明した図１０の保持棒３３と移動体８、第２マグネット２０、磁性体７を削除したもので、移動板３２の下部に車輪２１を取り付け、ケース１０下部に設けてある保持体１４の上に移動板３２の右側に有る車輪２１が乗るようにしてある。
また、第５マグネット３０と第１マグネット３の形状を円筒形にし、第２コイル３６と第３コイル３７を円形にしてある。
その他の構造と内容は実施例６で説明してあるので省略する。
【００９８】
ケース１０の下部には保持体１４が固定され、車輪２１が移動してきた場合に、この上に乗って移動板３２が停止できるようにしてあり、実施例６のようにケース１０に突起１７や傾斜部１８を設けて動作させてもよい。
【００９９】
実施例３の図７に於いて、第１マグネット３の形状を円筒形にし、第１コイル５とパイプ２４を円形にした場合、人が移動してケース１０が傾いて、移動体８が移動して第１マグネット３が移動し、その後、ケース１０が元の傾きに戻るが、第１マグネット３がパイプ２４の途中で停止する場合がある。
【０１００】
これは、歩っている周期や速度が途中で変化する原因が考えられ、又、円筒形の第１マグネット３とパイプ２４には常に摩擦が生じており、ケース１０が元に戻るときの移動速度が変化して、第１マグネット３が途中で停止してしまうと考える。
それ故、第１マグネット３の戻りを良くするために、図７ように圧縮バネ２５や磁性体２３、第４マグネット２７等を利用し、途中で停止しないで元の磁性体２３に吸引される位置まで戻すような対策をしている。
【０１０１】
本案では、ランニングしている場合でも、円筒形の第１マグネット３が摩擦を生じるコイル内を移動できるように、圧縮バネ２５や磁性体２３とは別に車輪２１を利用して、第１マグネット３を移動させるようにしたものであるので、移動板３２の下部を塞ぎ、実施例２で説明したように、車輪２１の代わりにケース１０の下部に小さなベアリングなどの球体を取り付けてもよく、凹凸を設けて移動板３２との摩擦面を少なくし、摩擦を軽減する構造にしても良い。
【０１０２】
実施例６同様に、人体の足首に取り付けられた表示器１は、両足を揃えて垂直に立っている時は、やや右側に傾斜して取り付けられており、移動板３２はケース１０の右側に位置し、移動板３２の下に取り付けられた車輪２１は保持体１４の上にある。
【０１０３】
この状態から人が早い速度で移動して左足首が傾斜すると、ケース１０は左側に傾斜し、移動板３２の重力が、車輪２１を保持体１４上に停止している限界値を超えると、車輪２１の付いた移動板３２は速い速度で移動を開始する。
これにより、実施例７で説明したと同じような発電効果が得られ、移動板３２上の第１マグネット３と第５マグネット３０は、第２コイル３６と第３コイル３７内を通過し、２つのコイルに誘導電流を発生させて、それぞれの発光ダイオード２が点灯する。
【０１０４】
更に、人が移動すると図１の右足のように、左足は前に移動しながら垂直になり、又、急に止まる為、移動板３２は、その反動とケース１０が右に傾くことにより、ケース１０の右側へ移動するようになる。
実施例６同様に、人がランニングしている間、同じ動作を繰り返し発電することになる。
【０１０５】
本案に於いては、人の移動速度が速く、表示器１が傾斜する周期と速度が早い為、移動板３２を保持体１４上に停止しておく時間が短くなる。
その為に、実施例６で利用した移動体８の衝突による力を必要としないで、移動板３２を早く移動させることができる。
それにより、更に早い速度で移動する場合は、保持体１４を省いても良い。
【０１０６】
また、実施例６のように、ケース１０に突起１７や傾斜部１８を設けて動作させてもよく、第２コイル３６を削除して、第３コイル３７を利用し、移動板３２上に接続板４３と第５マグネット３０を取り付けてケース１０の幅を短くし、移動板３２の移動距離を短くして動作させても良い。
【０１０７】
また、２つのマグネットが第２コイル３６と第３コイル３７の内部を移動する時の軌道が不安定な場合は、実施例６と同じように移動板３２に保持棒３３を通して、動作させても良く、或は、第３コイル３７と第２コイル３６内に円形のパイプを挿入し、接続板３５が移動できるように、パイプの下部を削除して、円筒形の第１マグネット３と第５マグネット３０がパイプの内部を移動できるようにしても良い。
その他の内容や部材は、実施例６と同様な構造と内容なので説明を省略する。
【符号の説明】
【０１０８】
１    表示器
２    発光ダイオード
３    第１マグネット
４    引っ張りバネ
５    第１コイル
６    パイプ
７    磁性体
８    移動体
９    ネジ
１０    ケース
１１    面ファスナー
１２    電線
１３    ワイヤー
１４    保持体
１５    移動板
１６    クッション
１７    突起
１８    傾斜部
１９    移動体
２０    第２マグネット
２１    車輪
２２    ケース
２３    磁性体
２４    パイプ
２５    圧縮バネ
２６    第３マグネット
２７    第４マグネット
２８    移動板
２９    カールコード
３０    第５マグネット
３１    連結棒
３２    移動板
３３    保持棒
３４    接続板
３５    接続板
３６    第２コイル
３７    第３コイル
３８    穴
３９    ネジ
４０    圧縮バネ
４１    オス面ファスナー
４２    メス面ファスナー
４３    接続板
４４    バンド
【図１】
2018182827.tif 000003
【図２】
2018182827.tif 000004
【図３】
2018182827.tif 000005
【図４】
2018182827.tif 000006
【図５】
2018182827.tif 000007
【図６】
2018182827.tif 000008
【図７】
2018182827.tif 000009
【図８】
2018182827.tif 000010
【図９】
2018182827.tif 000011
【図１０】
2018182827.tif 000012
【図１１】
2018182827.tif 000013
【図１２】
2018182827.tif 000014
【図１３】
2018182827.tif 000015
【図１４】
2018182827.tif 000016